(57)【要約】  本発明は、コンベヤーベルト用の接続リンク４に関し、該接続リンクは、閉じられた第１端８での横方向交差部材７から開いた第２端９へ長手方向に延在する脚６を備え、ロッド３を受け入れるため、閉じられた第１端８で、それぞれの脚６にある第１開口１０、及び開いた第２端９で、ロッド３を受け入れるため横方向に整列した第２開口１１を形成し、ここで、少なくとも一つの脚６は、第２開口１１からの距離を超えて長手方向に延在する。さらに本発明は、上記接続リンクを備えたコンベヤーベルトに関する。
2009513456.tif 000002
【特許請求の範囲】
【請求項１】
コンベヤーベルトが駆動ドラムの周りに螺旋状に巻かれるシステム用のコンベヤーベルトであって、該コンベヤーベルトは、繰り返して相互接続された配列を備え、
該配列は、
それぞれが横方向に延在し第１及び第２の端部の間に中央搬送部を形成する、長手方向に間隔をあけられたロッド、並びに
上記ロッドを共に接続する接続リンクであって、それぞれの接続リンクは、閉じられた第１端にて横方向交差部材から開いた第２端へ長手方向に延在する脚を備え、ロッドを受け入れるために上記閉じられた端部にてそれぞれの上記脚に横方向に並べられた第１開口、及びロッドを受け入れるために上記開いた端部にて横方向に並べられた第２開口を形成し、これにて、第１リンクの第１開口は、その中にロッドを受け入れるために第２リンクの第２開口と共に整列され、ここで、上記ロッドが上記ベルトの外側端部にて上記第２開口へ少なくとも融合される接続リンク、
の配列であり、
上記コンベヤーベルトは、
少なくとも上記接続リンクが上記駆動ドラムに接触するとき、上記第２リンクの融合部を保護するために上記第１リンクに配置される保護手段を備えたことを特徴とする。
【請求項２】
上記保護手段は、上記融合部を超えて上記コンベヤーベルトの横方向において延在する、請求項１に記載のコンベヤーベルト。
【請求項３】
上記第１リンクの外側の脚は、長手方向に延在する、請求項１又は２に記載のコンベヤーベルト。
【請求項４】
垂直方向に延在する駆動ドラムと、
上記ドラムの周りに螺旋状に巻かれる請求項１から３のいずれかに記載のコンベヤーベルトとを備え、
上記保護手段は上記ドラムに隣接する、搬送システム。
【請求項５】
請求項１から３のいずれかに記載のコンベヤーベルト用の接続リンクであって、
閉じられた第１端にて横方向交差部材から開いた第２端へ長手方向に延在する脚を備え、ロッドを受け入れるために上記閉じられた端部にてそれぞれの上記脚に横方向に並べられた第１開口、及びロッドを受け入れるために上記開いた端部にて横方向に並べられた第２開口を形成し、
少なくとも一つの脚が、上記第１及び上記第２の開口間の距離に実質的に等しい距離を超えて上記第２開口から長手方向へ延在する、
ことを特徴とする接続リンク。
【発明の詳細な説明】
【技術分野】
【０００１】
本発明は、コンベヤーベルトが駆動ドラムに螺旋状に巻かれるシステム用のコンベヤーベルトに関する。
【背景技術】
【０００２】
上記コンベヤーベルトは、繰り返して相互接続された配列を備え、該配列は、
長手方向に間隔をあけられたロッドで、それぞれ横方向に延在し、第１端及び第２端の間に中央搬送部を形成するロッドと、及び
上記ロッドを共に接続する接続リンクで、各接続リンクは、閉じられた第１端での横方向交差部材から開いた第２端へ長手方向に延在する脚を備え、ロッドを受け入れるため上記閉じられた端部にてそれぞれの脚に横方向に整列された第１開口、及びロッドを受け入れるため上記開いた端部にて横方向に整列された第２開口を形成し、これによって、第１リンクの第１開口は、そこへロッドを受け入れるために第２リンクの第２開口とともに整列される、接続リンクとの配列であり、
ここで、上記ロッドは、上記ベルトの外側端部にて上記第２開口に少なくとも融合される。
【０００３】
そのようなベルトは、冷却又は加熱タワーに通常使用され、コンベヤーベルトは、駆動ドラムに螺旋状に巻きつけられる。これは、比較的小さな部屋の中に長大なコンベヤーベルトを有することを可能にする。このことは、製造物を冷却又は加熱しなければならないときに有利である。
【発明の開示】
【発明が解決しようとする課題】
【０００４】
加熱又は冷却することにより、コンベヤーベルトは高ストレスにさらされ、結局コンベヤーベルトに損傷を与えるであろう。従来のコンベヤーベルトでは、ロッドは、リンクに溶接され、上記加熱及び冷却は、結局、溶接部の破断に帰着するであろう。
【０００５】
更に、上記ベルトはドラムにより駆動されるので、駆動ドラムとコンベヤーベルトとの間のわずかな速度差が、駆動ドラムとコンベヤーベルトとの間の摩擦の結果としてコンベヤーベルト側に摩耗を発生させる。この摩耗により、コンベヤーベルトの外側でロッド及びリンク間の溶接部は、しだいに減っていくであろう。そしてついに、ロッドとリンクとの接続は、切れるであろう。
【０００６】
ロッドとリンクとが溶接部によってこれ以上接続されないときに、コンベヤーベルトは、バックルでとめることができた。これはまた、テンティング（tenting）を有することを参照させる。これは、全体のシステムに損害をもたらすコンベヤーベルトのジャムに帰着するかもしれない。
【０００７】
したがって、本発明は、溶接部の摩耗や損傷が減じられるコンベヤーベルトを提供することを目的とする。
【課題を解決するための手段】
【０００８】
上記目的は、少なくともリンクが駆動ドラムに接しているときに、第２リンクの融合部を保護するための第１リンクに配置された保護手段によって特徴づけられる、本発明に係るコンベヤーベルトによって達成される。
【０００９】
上記保護手段は、コンベヤーベルトとドラムとの間の速度差による摩耗が、上記融合部に損傷をこれ以上もたらさないように、ロッドとリンクとの融合部に関して保護を提供する。
【００１０】
本発明に係るコンベヤーベルトの実施形態によれば、上記保護手段は、融合部を越えたコンベヤーベルトの横方向において延在する。よって、上記保護手段は、融合部のシールドである。
【００１１】
本発明による好ましい実施形態では、第１リンクの外側の脚は、長手方向に延在する。これは、少なくともリンクが駆動ドラムに接触しているとき、結果として第２リンクの融合部から離れて融合部を覆うことになる、リンクの脚だけを拡張すればよいような、非常に簡単な実施形態である。これは好ましいものではあるが、第１リンクの拡張は融合部を過ぎて伸張する必要はない。しかしながら、それは、融合部がドラム又は同種のものに接触しなくなるように伸張するべきである。
【００１２】
本発明は、さらに、垂直に延在する駆動ドラムと、上記ドラムの周りに螺旋状に巻かれる本発明によるコンベヤーベルトとを備えた搬送システムにも関する。ここで、上記保護手段は、上記ドラムに隣接する。よって、保護手段は、ロッドとリンクの融合部を覆う。上記保護手段は、当該保護手段の摩耗が最小となりコンベヤーベルトの寿命が延びるような適切な材料にて作製することができる。
【００１３】
最後に、本発明は、本発明によるコンベヤーベルト用の接続リンクに関し、該接続リンクは、長手方向において閉じられた第１端にて横方向交差部材から開いた第２端へ延在する脚を備え、かつロッドを受け入れるため上記閉じられた端部にてそれぞれの脚に横方向に整列された第１開口、及びロッドを受け入れるため上記開いた端部にてそれぞれの脚に横方向に整列された第２開口を形成し、ここで、少なくとも一つの脚は、長手方向において、第１及び第２の開口間の距離に実質的に等しい距離を超えて上記第２開口から延在する。
これら及び本発明の他の特徴は、添付図面と共に説明される。
【発明を実施するための最良の形態】
【００１４】
図１は、本発明によるコンベヤーベルト１を示す。コンベヤーベルト１は、駆動ドラム２に螺旋状に巻きつけられる。
【００１５】
図２は、コンベヤーベルト１の断面図を示す。コンベヤーベルト１は、横方向に延在する長手方向に間隔を開けられたロッド３を備える。ロッド３をともに接続するために、ロッド３のそれぞれの端部は、接続リンク４を設けている。各ロッド３の両端間は、食物のような製造物を搬送するために使用される中央搬送部５である。
【００１６】
図３は、接続リンク４の断面図を示す。各接続リンク４は、閉じられた第１端８での横方向交差部材７から開いた第２端９へ長手方向に延在する脚６を備える。それぞれの脚６は、閉じられた第１端８で、ロッド３を受け入れるための第１開口１０と、開いた第２端９で、ロッド３を受け入れるため横方向に整列した第２開口１１とを設ける。第１リンク４の第１開口１０は、ロッド３がそこに受け入れられるように、第２リンク４の第２開口１１と共に整列される。ロッド３は、コンベヤーベルトの外側端の第２開口１１に融合される。第１リンク上で、保護手段１２は、融合部がドラムと接触するとき、第２リンクの融合部１３を保護するように配置されている。
【図面の簡単な説明】
【００１７】
【図１】図１は、駆動ドラムに螺旋状に巻きつけられる本発明によるコンベヤーベルトの斜視図を示す。
【図２】図２は、本発明によるコンベヤーベルトの断面図を示す。
【図３】図３は、保護手段と共に配置された接続リンクを有するコンベヤーベルトの断面図を示す。
【図１】
2009513456.tif 000003
【図２】
2009513456.tif 000004
【図３】
2009513456.tif 000005
【国際調査報告】
2009513456.tif 000006
2009513456.tif 000007